(57)【特許請求の範囲】
【請求項１】
圧縮機と、熱交換器と、送風機と、前記圧縮機及び前記送風機に接続される回路基板を有した電装部とを筐体内に配した空気調和機の室外機において、前記筐体の一側面に冷媒配管を接続する配管接続部と前記配管接続部の上方に開口する通気孔とを形成するとともに、前記通気孔及び前記配管接続部を覆うととともに吸気孔と前記冷媒配管の引出口とが開口するカバーと、前記通気孔と前記吸気孔との間に立設して上端が前記通気孔及び前記吸気孔よりも上方に配される遮蔽板と、前記吸気孔の下方で前記カバーと前記遮蔽板との間を塞ぐ第１遮蔽部と、前記通気孔の下方で前記遮蔽板と前記筐体との間を塞ぐ第２遮蔽部と、前記遮蔽板上端の上方で前記カバーと前記筺体との間を塞ぐ第３遮蔽部とを設け、前記吸気孔から流入する気流が前記遮蔽板に沿って上昇した後、前記遮蔽板の上端と第３遮蔽部との間で下方に屈曲し、前記遮蔽板に沿って下降して前記通気孔に導かれ、
前記カバーの内面から下方を開放したコ字状に突出するリブにより形成して前記吸気孔から流入する気流を下方に案内する案内部を備え、前記案内部を流出した後の気流が前記遮蔽板に沿って上昇することを特徴とする空気調和機の室外機。
【請求項２】
前記筐体の側面に面した前記案内部の壁面を前記遮蔽板により形成したことを特徴とする請求項１に記載の空気調和機の室外機。
【請求項３】
前記カバーの内面側に配して前記配管接続部を覆う金属製の防炎板を備え、前記遮蔽板を前記防炎板により一体に形成したことを特徴とする請求項１又は請求項２に記載の空気調和機の室外機。
【請求項４】
前記筺体内は仕切壁を介して前記送風機及び前記熱交換器が配される熱交換器室と、前記電装部及び前記圧縮機を配した機械室とに仕切られ、前記電装部に設けられた連通孔を介して前記熱交換器室と前記機械室とが連通することを特徴とする請求項１〜請求項３のいずれかに記載の空気調和機の室外機。
【請求項５】
圧縮機と熱交換器と送風機とを筐体内に内蔵した空気調和機の室外機において、前記筐体の一側面の上部に開口部が設けられるとともに下部に冷媒配管を接続する配管接続部が配され、前記配管接続部を覆うカバーに設けられた取手用の凹部が前記開口部に挿入されるとともに前記開口部の上壁が前記凹部の外壁に当接することを特徴とする請求項１〜請求項４のいずれかに空気調和機の室外機。
【請求項６】
前記開口部の上壁は前記筺体の内部に屈曲した屈曲部を形成し、前記屈曲部と前記凹部の外壁とが面接触していることを特徴とする請求項５に記載の空気調和機の室外機。
【請求項７】
前記屈曲部は前記筺体の内側に向かって上方に傾斜していることを特徴とする請求項６に記載の空気調和機の室外機。
【請求項８】
前記カバーは前記凹部を前記開口部に挿入した後、上方にスライドさせて前記筺体に固定されることを特徴とする請求項５〜請求項７のいずれかに記載の空気調和機の室外機。
【請求項９】
前記開口部と前記凹部との隙間を介して前記筺体内部の配線が前記筐体と前記カバーとの間に引き出されることを特徴とする請求項５〜請求項８のいずれかに記載の空気調和機の室外機。
【請求項１０】
圧縮機と熱交換器と送風機とを筐体内に内蔵した室外機において、前記筐体の一側面に配されて冷媒配管を接続する配管接続部と、前記配管接続部を覆うカバーとを有し、前記カバーは内面に設けられた係合爪を前記筺体の側面に形成されたスリット状の係合孔に差し込みスライドさせて前記筺体に固定され、前記カバーの内面には周部に配して前記筐体に当接する環状の外周リブと、前記外周リブと同じ高さで突出する遮蔽リブとが形成され、前記遮蔽リブは前記カバーが固定された際に前記係合孔の周囲を囲むことを特徴とする空気調和機の室外機。
【請求項１１】
前記遮蔽リブの一部を前記外周リブにより形成したことを特徴とする請求項１０に記載の空気調和機の室外機。
【発明の詳細な説明】
【技術分野】
【０００１】
本発明は空気調和機の室外機に関する。
【背景技術】
【０００２】
従来の空気調和機の室外機が特許文献１に開示されている。この室外機は圧縮機と熱交換器と送風機と電装部とを筐体内に内蔵する。電装部は回路基板を有して圧縮機及び送風機に電気接続されている。筐体の一側面には空調用の冷媒配管を接続する配管接続部が設けられ、配管接続部を含む筐体の側面が樹脂製のカバーで覆われている。カバーの背面側下部には配管接続部に接続された冷媒配管をカバーの外部に引き出すための引出口が開口している。
【０００３】
また、筐体内に内蔵された電装部の冷却効果を向上させるために筐体の側面には通気孔が設けられ、カバーには吸気孔が設けられている。通気孔と吸気孔との間には遮蔽板が設けられ、吸気孔から流入した気流は遮蔽板の外面に沿って降下した後、遮蔽板の内面にそって上昇して通気孔に流入する。また、カバーの上部には取手用の凹部が設けられている。また、カバーは内面に設けられた係合爪を筺体の側面に形成されたスリット状の係合孔に差し込みスライドさせて筺体に固定される。
【先行技術文献】
【特許文献】
【０００４】
【特許文献１】特許４３９１３６８号
【発明の概要】
【発明が解決しようとする課題】
【０００５】
上記従来の室外機によると、強い風圧が引出口にかかった場合、引出口からカバー内に侵入した雨滴及び塵埃が気流に乗って通気孔を介して筐体内に侵入し、電装部の電気系が故障する問題があった。
【０００６】
また、カバーの上部に設けられた取手用の凹部に手指を挿入して室外機を運搬する際に室外機の重みでカバーが変形してカバーと筐体との間に隙間が生じ、雨滴及び塵埃がカバー内に侵入する問題があった。
【０００７】
また、係合爪を係合孔に差し込んだあとカバーをスライドした際に係合孔に隙間が生じ、該隙間を介して筐体内部の騒音が外部に漏れる問題があった。
【０００８】
本発明は上記問題点に鑑み、筐体内に外気を流入させて電装部の冷却効果を向上させながら筐体内への雨滴及び塵埃の侵入を防ぐことができる空気調和機の室外機を提供することを目的とする。
【０００９】
また、本発明は上記問題点に鑑み、筐体の一側面に固定されたカバーの上部に設けられた取手用の凹部が室外機の運搬時に変形し難い空気調和機の室外機を提供することを目的とする。
【００１０】
また、本発明は上記問題点に鑑み、係合孔の隙間を介して筐体内部の騒音が外部に漏れるのを防止する空気調和機の室外機を提供することを目的とする。
【課題を解決するための手段】
【００１１】
上記目的を達成するために本発明は、圧縮機と、熱交換器と、送風機と、前記圧縮機及び前記送風機に接続される回路基板を有した電装部とを筐体内に配した空気調和機の室外機において、前記筐体の一側面に冷媒配管を接続する配管接続部と前記配管接続部の上方に開口する通気孔とを形成するとともに、前記通気孔及び前記配管接続部を覆うととともに吸気孔と前記冷媒配管の引出口とが開口するカバーと、前記通気孔と前記吸気孔との間に立設して上端が前記通気孔及び前記吸気孔よりも上方に配される遮蔽板と、前記吸気孔の下方で前記カバーと前記遮蔽板との間を塞ぐ第１遮蔽部と、前記通気孔の下方で前記遮蔽板と前記筐体との間を塞ぐ第２遮蔽部と、前記遮蔽板上端の上方で前記カバーと前記筺体との間を塞ぐ第３遮蔽部とを設け、前記吸気孔から流入する気流が前記遮蔽板に沿って上昇した後、前記遮蔽板の上端と第３遮蔽部との間で下方に屈曲し、前記遮蔽板に沿って下降して前記通気孔に導かれることを特徴としている。
【００１２】
この構成によると、引出口からカバー内に侵入した雨滴及び塵埃は第１、第２、第３遮蔽部により遮断され、通気孔まで到達しない。
【００１３】
また、本発明は上記構成の空気調和機の室外機において、前記カバーの内面から下方を開放したコ字状に突出するリブにより形成して前記吸気孔から流入する気流を下方に案内する案内部を備え、前記案内部を流出した後の気流が前記遮蔽板に沿って上昇することを特徴としている。
【００１４】
また、本発明は上記構成の空気調和機の室外機において、前記筐体の側面に面した前記案内部の壁面を前記遮蔽板により形成したことを特徴としている。
【００１５】
また、本発明は上記構成の空気調和機の室外機において、前記カバーの内面側に配して前記配管接続部を覆う金属製の防炎板を備え、前記遮蔽板を前記防炎板により一体に形成したことを特徴としている。
【００１６】
また、本発明は上記構成の空気調和機の室外機において、前記筺体内は仕切壁を介して前記送風機及び前記熱交換器が配される熱交換器室と、前記電装部及び前記圧縮機を配した機械室とに仕切られ、前記電装部に設けられた連通孔を介して前記熱交換器室と前記機械室とが連通することを特徴としている。
【００１７】
また、上記目的を達成するために本発明は、圧縮機と熱交換器と送風機とを筐体内に内蔵した空気調和機の室外機において、前記筐体の一側面の上部に開口部が設けられるとともに下部に冷媒配管を接続する配管接続部が配され、前記配管接続部を覆うカバーに設けられた取手用の凹部が前記開口部に挿入されるとともに前記開口部の上壁が前記凹部の外壁に当接することを特徴としている。
【００１８】
この構成によると、凹部に手指を挿入して室外機を持ち上げたときに、凹部内部から手指によって筐体の開口部の上壁が支持される。
【００１９】
また、本発明は上記構成の空気調和機の室外機において、前記開口部の上壁は前記筺体の内部に屈曲した屈曲部を形成し、前記屈曲部と前記凹部の外壁とが面接触していることを特徴としている。
【００２０】
また、本発明は上記構成の空気調和機の室外機において、前記屈曲部は前記筺体の内側に向かって上方に傾斜していることを特徴としている。
【００２１】
また、本発明は上記構成の空気調和機の室外機において、前記カバーは前記凹部を前記開口部に挿入した後、上方にスライドさせて前記筺体に固定されることを特徴としている。
【００２２】
また、本発明は上記構成の空気調和機の室外機において、前記開口部と前記凹部との隙間を介して前記筺体内部の配線が前記筐体と前記カバーとの間に引き出されることを特徴としている。
【００２３】
また、上記目的を達成するために本発明は、圧縮機と熱交換器と送風機とを筐体内に内蔵した室外機において、前記筐体の一側面に配されて冷媒配管を接続する配管接続部と、前記配管接続部を覆うカバーとを有し、前記カバーは内面に設けられた係合爪を前記筺体の側面に形成されたスリット状の係合孔に差し込みスライドさせて前記筺体に固定され、前記カバーの内面には周部に配して前記筐体に当接する環状の外周リブと、前記外周リブと同じ高さで突出する遮蔽リブとが形成され、前記遮蔽部は前記カバーが固定された際に前記係合孔の周囲を囲むことを特徴としている。
【００２４】
この構成によると、係合爪を係合孔に差し込みスライドさせたときに生じる係合孔の隙間を介して筐体の側面とカバーの内面との間に流入する気流は遮蔽部で遮られ、筐体の側面とカバーの内面との間を流通しない。
【００２５】
また、本発明は上記構成の空気調和機の室外機において、前記遮蔽部の一部を前記外周リブにより形成したことを特徴としている。
【発明の効果】
【００２６】
本発明の空気調和機の室外機によると、遮蔽板の上端が通気孔及び吸気孔より上方に配され、カバーと遮蔽板との間が第１遮蔽部によりを塞がれ、遮蔽板と筐体との間が第２遮蔽部により塞がれ、遮蔽板上端の上方でカバーと筺体との間が第３遮蔽部により塞がれる。そして、吸気孔から流入する気流が遮蔽板に沿って上昇した後、遮蔽板の上端と第３遮蔽部との間で下方に屈曲し、遮蔽板に沿って下降して通気孔に導かれる。これにより、引出口からカバー内に侵入した水滴や塵埃が通気孔を介して筐体内に侵入するのを防止することができる。
【００２７】
また、本発明の空気調和機の室外機によると、凹部に手指を挿入して室外機を持ち上げたときに、凹部内部から手指によって筐体の開口部の上壁が支持される。これにより、カバーに掛かる室外機の重みが低減され、カバーの変形を防止することができる。
【００２８】
また、本発明の空気調和機の室外機によると、係合爪を係合孔に差し込みスライドさせたときに生じる係合孔の隙間を介して筐体の側面とカバーの内面との間に流入する気流は遮蔽部で遮られ、筐体の側面とカバーの内面との間に流入しない。これにより、騒音の発生を防止することができる。
【図面の簡単な説明】
【００２９】
【図１】本発明の第１実施形態に係る室外機の正面図。
【図２】本発明の第１実施形態に係る室外機の背面側から右側部を示す斜視図。
【図３】本発明の第１実施形態に係る室外機の背面側から左側部を示す斜視図。
【図４】本発明の第１実施形態に係る室外機の分解斜視図。
【図５】本発明の第１実施形態に係る室外機の右側部の一部を右側方から示す分解斜視図。
【図６】本発明の第１実施形態に係る室外機の右側部の一部を左側方から示す分解斜視図。
【図７】本発明の第１実施形態に係るカバーの内面を示す斜視図。
【図８】本発明の第１実施形態に係るカバーの内面を示す斜視図。
【図９】本発明の第１実施形態に係る室外機の気流路を説明する説明図。
【図１０】本発明の第１実施形態に係る室外機の気流路を説明する説明図。
【図１１】本発明の第１実施形態に係る係合爪を拡大して示す斜視図。
【図１２】本発明の第１実施形態に係る係合爪を拡大して示す上面図。
【図１３】本発明の第１実施形態に係る係合爪を係合孔に差し込んだ状態を示す断面図
【図１４】本発明の第１実施形態に係るカバーを筐体に固定した状態における取手用の凹部の正面断面図。
【図１５】本発明の第１実施形態に係る取手用の凹部を示す斜視図。
【図１６】本発明の第１実施形態に係る取手用の凹部を背面側から示す斜視図。
【図１７】本発明の第２実施形態に係る室外機の気流路を説明する説明図。
【図１８】本発明の第３実施形態に係る室外機の気流路を説明する説明図。
【発明を実施するための形態】
【００３０】
＜第１実施形態＞
以下に本発明の実施形態を図面の参照にて説明する。図１は室外機１０の正面図であり、図２、図３は室外機１０の右側部、左側部を背面側から示す斜視図である。室外機１０は直方体状の筐体１１を備え、筺体１１は上部に上面板１１Ｕが配され、底部に底面板１１Ｄが配されている。また、筺体１１の周面には前方に正面板１１Ｆが配され、後方に背面板１１Ｂが配されている。また、左側方には左側面板１１Ｌが配され、右側方には右側面板１１Ｒが配されている。左側面板１１Ｌ及び右側面板１１Ｒは上面から視てＬ字状に形成され、一部が背面側に屈曲している。
【００３１】
筐体１１の正面板１１Ｆの中央部には排気口１２が開口し、排気口１２には円形のグリル１２ａが取り付けられている。背面板１１Ｂには背面吸気口１１ＢＳが開口し、左側面板１１Ｌには左側面吸気口１１ＬＳが開口している。また、右側面板１１Ｒは背面側の一部に右側面吸気口１１ＲＳが開口している。左側面吸気口１１ＬＳ及び右側面吸気口１１ＲＳは格子状に形成されている。また、右側面板１１Ｒ及び左側面板１１Ｌの上部には取手用の凹部６３Ｒ、６３Ｌが夫々設けられている。
【００３２】
図４は室外機１０の分解斜視図であり、図５、図６は室外機１０の右側部の一部を示す分解斜視図である。なお、図５、図６において送風機３０と圧縮機４０は図示していない。筐体１１内部の背面側には熱交換器２４が配されている。熱交換器２４は両端が屈曲して上面から視て略コ字状（略Ｌ字状でもよい）に形成されている。熱交換器２４は左側面吸気口１１ＬＳ、背面吸気口１１ＢＳ、右側面吸気口１１ＲＳと対向して配され、左側面吸気口１１ＬＳ、背面吸気口１１ＢＳ、右側面吸気口１１ＲＳを介して筐体１１外部に露出している。
【００３３】
筺体１１内部には熱交換器２４を隔離して仕切る仕切壁２０が底面板１１Ｄから立設している。仕切壁２０は上面から視てＬ字状に形成され、送風機３０と圧縮機４０の間を仕切るとともに圧縮機４０の背面側に回り込んで熱交換器２４と圧縮機４０の間を仕切っている。これにより、仕切壁２０を介して筐体１１内は熱交換器室２１と機械室２２とに仕切られ、熱交換器室２１は背面側に熱交換器２４が配され、前面側に送風機３０が配される。
【００３４】
送風機３０を駆動するとその吸引力により外気が左側面吸気口１１ＬＳ、背面吸気口１１ＢＳ、右側面吸気口１１ＲＳを介して熱交換器室２１内に流入する。流入した外気は熱交換器２４により熱交換され、熱交換器室２１を流通して排気口１２から外部に吹出される。
【００３５】
また、機械室２２は上下に仕切られ、上部に電装部５０が配され、下部に圧縮機４０が配されている。電装部５０は回路基板（不図示）を有して送風機３０及び圧縮機４０に電気接続されている。電装部５０は室外機１０の運転制御を行う。また、右側面板１１Ｒの外面には室外機１の外部から電装部５０に電源線や制御線を引き込むための端子部５５が配されている。
【００３６】
電装部５０の底面にはヒートシンク（不図示）が設けられている。ヒートシンクは熱交換器室２１側にフィン５１を備え、フィン５１は熱交換器室２１内に露出している。これにより、フィン５１は熱交換器室２１内を流通する気流により冷却される。回路基板に実装されている発熱部品はヒートシンク及びフィン５１を介して冷却される。
【００３７】
機械室２２の側壁を形成する右側面板１１Ｒには通気孔５４が設けられている。また、電装部５０には熱交換器室２１と機械室２２とを連通する連通孔（不図示）が設けられている。これにより、送風機３０を駆動すると連通孔を介して機械室２２の空気が熱交換器室２１に引き込まれる。この吸引力により外気を通気孔５４を介して機械室２２内に呼び込んで電装部５０の冷却効果を向上させることができる。
【００３８】
右側面板１１Ｒの外面上部には開口部５３が開口し、外面下部には２本の冷媒配管（不図示）を接続する配管接続部５２が配されている。また、開口部５３と配管接続部５２との間に通気孔５４が配されている。開口部５３、配管接続部５２及び通気孔５４は樹脂製のカバー６０により覆われる。このとき、開口部５３には取手用の凹部６３Ｒの外壁６３ＲＯが挿入される。
【００３９】
配管接続部５２は二方弁５２ａ、三方弁５２ｂを有し、二方弁５２ａ、三方弁５２ｂを介して冷媒配管が接続される。二方弁５２ａに接続される冷媒配管は冷房運転時には液体冷媒が流れる。一方、三方弁５２ｂに接続される冷媒配管は冷房運転時、気体冷媒が流れる。
【００４０】
図７、図８はカバー６０の内面側を示す斜視図であり、図８は防炎板７０を挿嵌した状態を示している。カバー６０の下部は二方弁５２ａ及び三方弁５２ｂを覆うために膨らんだ膨らみ部６５が形成され、膨らみ部６５の背面側には引出口６５ａが開口している。引出口６５ａを介して配管接続部５２に接続された冷媒配管及び端子部５５に接続される電源線や制御線がカバー６０の外方に引き出される。カバー６０の上部には取手用の凹部６３Ｒが設けられ、凹部６３Ｒと膨らみ部６５との間に通気孔５４と連通する吸気孔６４が設けられている。
【００４１】
右側面板１１Ｒとカバー６０との間には金属製の防炎板７０が配される。防炎板７０の下部は配管接続部５２を覆うために膨らんだ膨らみ部７５が形成されている。防炎板７０の膨らみ部７５はカバー６０の膨らみ部６５の内側に挿嵌される。防炎板６１は室外機１０の周辺で火災が発生した場合に配管接続部５２から筐体１１内に火炎が入り込むのを防止する。
【００４２】
防炎板７０の上部には防炎板７０と一体に遮蔽板７１が形成されている。遮蔽板７１は通気孔５４と吸気孔６４との間に立設され、遮蔽板７１の上端は通気孔５４及び吸気孔６４より上方に位置する。
【００４３】
カバー６０の内面側において、吸気孔６４の上方には上方リブ６７が設けられている。上方リブ６７の両端には吸気孔６４の側方を通って下方に延びる側方リブ６８が設けられ、上方リブ６７及び側方リブ６８は下方を開放したコ字状に形成されている。また、側方リブ６８の下方には下方リブ（第１遮蔽部）６９が設けられている。上方リブ６７、側方リブ６８、下方リブ６９はカバー６０の内面から突出して遮蔽板７１の外面に当接している。
【００４４】
これにより、上方リブ６７を上壁とし、側方リブ６８を側壁とするとともに遮蔽板７１の外面の一部を周壁とする案内部９０（図９参照）が形成される。案内部９０は吸気孔６４から流入した気流を遮蔽板７１の下方に案内する。このとき、案内部９０の壁面を遮蔽板７２により形成したので、遮蔽板７２とカバー６０の内面との距離を短縮できる。従って、室外機１０の小型化を図ることができる。なお、防炎板７０と遮蔽板７１とが一体に形成されており、防炎板７０によってカバー６０と遮蔽板６１との間が塞がれている場合、下方リブ６９を省略してもよい。
【００４５】
通気孔５４の下方には遮蔽板７１と右側面板１１Ｒとの間を塞ぐ遮蔽部（第２遮蔽部）７２が設けられている。遮蔽部７２は引出口６５ａからカバー６０内に流入した雨滴及び塵埃が通気孔５４に侵入するのを防止する。また、カバー６０の内面側において、遮蔽板７１上端の上方に配されてカバー６０と右側面板１１Ｒとの間を塞ぐリブ（第３遮蔽部）７３が設けられている。リブ７３はカバー６０内に流入した雨滴及び塵埃が開口部５３を介して筐体１１内に侵入するのを防止する。
【００４６】
図９、図１０は通気孔５４と吸気孔６４とを連通する気流路Ａを説明する説明図であり、図９は吸気孔６４を内面側から示すカバー６０の平面図である。また、図１０はカバー６０を右側面板１１Ｒに固定した状態における気流路Ａの正面断面図である。吸気孔６４から気流路Ａに侵入した気流は案内部９０に沿って下降する。案内部９０を下降して案内部９０を流出した気流は下方リブ６９に遮蔽されて下方リブ６９に沿って側方に流れる。側方に流れた気流は側方リブ６８の下端を回り込んで側方リブ６８の外側を遮蔽板７１の外面に沿って上昇する。
【００４７】
側方リブ６８の外側を上昇する気流は遮蔽板７１の上端とリブ（第３遮蔽部）７３との間で屈曲して遮蔽板７１の内側に沿って下降して通気孔５４を介して筐体１１内に流入する。気流路Ａを上下に複数回屈曲させることにより、吸気孔６４から通気孔５４に侵入する水滴をより低減することができる。
【００４８】
図１１、１２は係合爪６６を拡大して示す斜視図と上面図であり、図１３は係合爪６６を係合孔５６に差し込んだ状態を示す断面図である。カバー６０の内面の周縁には係合爪６６が設けられており、係合爪６６を右側面板１１Ｒに設けられたスリット状の係合孔５６に差し込み、カバー６０を上方にスライドさせた後、ネジ止めしてカバー６０が右側面板１１Ｒに固定される（図５、図６参照）。
【００４９】
このとき、カバー６０の内面には周部に配して突出する環状の外周リブ６６ａ（図７、８参照）が設けられ、外周リブ６６ａが右側面板１１Ｒに当接する。また、係合爪６６の周囲には外周リブ６６ａと同一の高さで突出する遮蔽リブ６６ｂが形成され、遮蔽リブ６６ｂの一部は外周リブ６６ａにより形成されている。
【００５０】
カバー６０を右側面板１１Ｒに固定した際に遮蔽リブ６６ｂは係合孔５６の周囲に配される。これにより、筐体１１の内部から係合爪６６を係合孔５６に差し込んだ後にスライドしたときに生じる係合孔５６の隙間Ｓ１を介して外部に漏れる騒音（矢印Ｎ）は遮蔽リブ６６ｂによって遮られる。したがって、筐体１１内部で発生する圧縮機４０等の駆動時に発生する騒音が隙間Ｓ１を介して外部に漏れるのを防止することができる。
【００５１】
なお、係合爪６６と遮蔽リブ６６ｂとの間には凹状の薄肉部６６ｃを設けて、成型時にヒケ（窪み）が発生するのを防止している。
【００５２】
図１４はカバー６０を右側面板１１Ｒに固定した状態における凹部６３Ｒの正面断面図である。カバー６０を右側面板１１Ｒに固定する際に取手用の凹部６３の外壁６３ＲＯが右側面板１１Ｒに形成された開口部５３に挿入される。このとき、凹部６３Ｒの外壁６３ＲＯは開口部５３の上壁５３ａと当接する。これにより、凹部６３Ｒに手指を挿入して室外機１０を持ち上げたときに手指によって開口部５３の上壁５３ａが支持される。したがって、カバー６０に掛かる室外機１０の重みが低減され、カバー６０の変形を防止することができる。
【００５３】
また、開口部５３の上壁５３ａは筺体１１の内部に屈曲した屈曲部５３ｂを形成し、屈曲部５３ａと凹部６３Ｒの外壁６３ＲＯとが面接触している。これにより、室外機１０を持ち上げたときに上壁５３ａが安定して支持され、カバー６０の変形をより防止することができる。また、屈曲部５３ａは筺体１１の内側に向かって上方に傾斜している。これにより、凹部６３Ｒに手指を挿入した際、凹部６３Ｒ内に手指が引っ掛かり易くなり、運搬時の利便性が向上する。
【００５４】
また、開口部５３は凹部６３Ｒの外壁６３ＲＯに対して上下方向に大きく開口しており、カバー６０を右側面板１１Ｒに上方にスライドして固定した際に開口部５３の下壁５３ｃと凹部６３Ｒの外壁６３ＲＯとの間に隙間Ｓ２が生じる。これにより、隙間Ｓ２を介して電装部５０から端子部５５に電源線や制御線を引き出すことができる。
【００５５】
図１５、図１６は左側面板１１Ｌに設けられる取手用の凹部６３Ｌの斜視図である。凹部６３Ｌは樹脂製であり、左側面板１１Ｌの上部に形成された開口部（不図示）に挿入して固定される。凹部６３Ｌの周壁には上下に延びるスリット状の貫通孔６３ＬＨ２が平行に複数並設されている。また、凹部６３Ｌの底壁には前後に延びるスリット状の貫通孔６３ＬＨ１が平行に複数並設されている。これにより、貫通孔６３ＬＨ１、６３ＬＨ２を介して筐体１１内部に外気が吸い込まれる。したがって、熱交換器２４の熱交換率を向上させることができる。
【００５６】
貫通孔６３ＬＨ１、６３ＬＨ２は連続して形成され、各貫通孔６３ＬＨ１、６３ＬＨ２の背面側は周囲に補強用リブが設けられ、凹部６３Ｌの周壁及び底壁を補強している。これにより、室外機１０を持ち上げた時に凹部６３Ｌが変形するのを防止することができる。
【００５７】
本実施形態によると、遮蔽板７１の上端が通気孔５４及び吸気孔６４より上方に配され、カバー６０と遮蔽板７１との間が下方リブ（第１遮蔽部）によりを塞がれ、遮蔽板７１と筐体１１との間が遮蔽部７２（第２遮蔽部）により塞がれる。そして、吸気孔６４から流入する気流が遮蔽板７１に沿って上昇した後、遮蔽板７１の上端とリブ（第３遮蔽部）７３との間で下方に屈曲し、遮蔽板７１に沿って下降して通気孔５４に導かれる。これにより、引出口６５ａから通気孔５４への水滴や塵埃の侵入を防ぐことができる。
【００５８】
また、カバー６０のリブにより吸気孔６４から流入する気流を下方に案内する案内部を形成したので、気流路Ａが上下に複数回屈曲し、吸気孔６４から通気孔５４に侵入する水滴をより低減することができる。
【００５９】
また、筐体１１の側面に面した案内部の壁面を遮蔽板７２により形成したので、遮蔽板７２とカバー６０の内面との距離を短縮できる。従って、室外機１０の小型化を図ることができる。
【００６０】
また、カバー６０の内面側に配して配管接続部５２を覆う金属製の防炎板７０を備え、遮蔽板６１を防炎板７０により一体に形成することにより、遮蔽板６１の部品点数を減らしてコストダウンを図ることができる。
【００６１】
また、電装部５０に設けられた連通孔（不図示）を介して熱交換器室２１と機械室２２とを連通させることにより、送風機３０を駆動すると連通孔を介して機械室２２の空気が熱交換器室２１に引き込まれる。この吸引力により外気を吸気孔６４及び通気孔５４を介して機械室２２内に呼び込んで電装部５０内部の冷却効果を向上させることができる。
【００６２】
また、カバー６０に設けられた取手用の凹部６３Ｒが開口部１１ＲＳに挿入されるとともに開口部１１ＲＳの上壁５３ａが凹部６３Ｒの外壁６３ＲＯに当接することにより、凹部６３Ｒに手指を挿入して室外機１０を持ち上げたときに手指によって開口部５３の上壁５３ａが支持される。したがって、カバー６０に掛かる室外機１０の重みが低減され、カバー６０の変形を防止することができる。
【００６３】
また、開口部５３の上壁５３ａは筺体１１の内部に屈曲した屈曲部５３ｂを形成し、屈曲部５３ｂと凹部６３Ｒの外壁６３ＲＯとが面接触している。これにより、室外機１０を持ち上げたときに上壁５３ａが安定して支持され、カバー６０の変形をより防止することができる。
【００６４】
また、屈曲部５３ｂは筺体１１の内側に向かって上方に傾斜していることより、凹部６３Ｒに手指を挿入した際、凹部６３Ｒ内に手指が引っ掛かり易くなり、運搬時の利便性が向上する。
【００６５】
カバー６０は内面に設けられた係合爪６６を筺体１１の側面に形成されたスリット状の係合孔５６に差し込みスライドさせて筺体１１に固定され、カバー６０の内面には外周を囲って突出する外周リブ６６ａと外周リブ６６ａと略同一の高さで突出する遮蔽リブ６６ｂとが形成され、遮蔽リブ６６ｂはカバー６０が固定された際に係合孔５６の周囲に配される。これにより係合孔５６の隙間Ｓ１を介して外部に漏れる騒音（矢印Ｎ）は遮蔽リブ６６ｂによって遮られる。したがって、筐体１１内部で発生する圧縮機４０等の駆動時に発生する騒音が隙間Ｓ１を介して外部に漏れるのを防止することができる。
【００６６】
＜第２実施形態＞
図１７は第２実施形態に係る室外機１０の気流路Ａを説明する説明図である。なお、第１実施形態と同一部分は同一符号を付して説明を省略する。第１実施形態に対して第２実施形態は上方リブ６７が遮蔽板７１に当接しておらず、遮蔽板７１の外面が案内部９０を形成していない。
【００６７】
具体的には、上方リブ６７の先端から下方に延びるとともに下端が吸気孔６４より下方に位置する案内板９１により案内部９０が形成されている。これにより、吸気孔６４から流入した気流は案内板９１の外面に沿って下降し、案内板９１の下端より下方で案内板９１の内面に回り込んで遮蔽板７１の外面に沿って上昇する。
【００６８】
＜第３実施形態＞
図１８は第３実施形態に係る室外機１０の気流路Ａを説明する説明図である。なお、第１実施形態と同一部分は同一符号を付して説明を省略する。第１実施形態に対して第３実施形態は遮蔽部７２が防炎板７０を屈曲して形成されている。これにより、遮蔽部７２の部品点数を減らしてコストダウンを図ることができる。
【産業上の利用可能性】
【００６９】
本発明はセパレート型空気調和機の室外機に利用可能である。
【符号の説明】
【００７０】
１０        室外機
１１        筐体
１１Ｒ      右側面板
１２        排気口
１２ａ      グリル
１４        室外側熱交換器
１６        室外側送風機
２０        仕切壁
２１        熱交換器室
２２        機械室
２４        熱交換器
３０        送風機
４０        圧縮機
４１        排水口
５０        電装部
５１        フィン
５２        配管接続部
５２ａ      二方弁
５２ｂ      三方弁
５３        開口部
５３ａ      上壁
５３ｂ      屈曲部
５４        通気孔
５５        端子部
５６        係合孔
６０        カバー
６３Ｒ      凹部
６３ＲＯ    外壁
６４        吸気孔
６５        膨らみ部
６５ａ      引出口
６６        係合爪
６６ａ      外周リブ
６６ｂ      遮蔽部
６６ｃ      薄肉部
６７        上方リブ
６８        側方リブ
６９        下方リブ（第１遮蔽部）
７０        防炎板
７１        遮蔽板
７２        遮蔽部（第２遮蔽部）
７３        リブ（第３遮蔽部）
９０        案内部
【図１】
0006426428.tif 000002
【図２】
0006426428.tif 000003
【図３】
0006426428.tif 000004
【図４】
0006426428.tif 000005
【図５】
0006426428.tif 000006
【図６】
0006426428.tif 000007
【図７】
0006426428.tif 000008
【図８】
0006426428.tif 000009
【図９】
0006426428.tif 000010
【図１０】
0006426428.tif 000011
【図１１】
0006426428.tif 000012
【図１２】
0006426428.tif 000013
【図１３】
0006426428.tif 000014
【図１４】
0006426428.tif 000015
【図１５】
0006426428.tif 000016
【図１６】
0006426428.tif 000017
【図１７】
0006426428.tif 000018
【図１８】
0006426428.tif 000019